(57)【特許請求の範囲】
【請求項１】
複数のドメインについて、親ドメインと子ドメインとの関係を定義付ける定義手段と、
前記定義手段により親ドメインに定義されたドメインに、コンテンツを格納するコンテンツ格納手段と、
ドメインを指定するドメイン情報とドメイン内のコンテンツを指定するコンテンツ指定情報とを受信する受信手段と、
前記受信手段で受信したドメイン情報が指定するドメインが前記定義手段で子ドメインに指定されている場合に、指定されたドメインの親ドメインの前記コンテンツ指定情報で指定されるコンテンツを前記コンテンツ格納手段から読み出して情報の要求元に送信するコンテンツ送信手段と、
を備えることを特徴とするネットワークシステム。
【請求項２】
前記コンテンツ送信手段は、前記コンテンツ格納手段から読み出したコンテンツと共に情報の要求元が指定したドメイン情報とコンテンツ指定情報とを、情報の要求元に送信する、ことを特徴とする請求項１に記載のネットワークシステム。
【請求項３】
前記コンテンツ送信手段は、前記受信手段で受信したドメイン情報が指定するドメインが前記定義手段で親ドメインに指定されている場合に、指定されたドメイン内の前記コンテンツ指定情報で指定されるコンテンツを前記コンテンツ格納手段から読み出して情報の要求元に送信する送信手段、を備えることを特徴とする請求項１又は２に記載のネットワークシステム。
【請求項４】
前記定義手段は、同一人に帰属する複数のドメインについて、親ドメインと子ドメインとの関係を定義付ける手段を備える、ことを特徴とする請求項１、２又は３に記載のネットワークシステム。
【請求項５】
前記定義手段は、
ユーザから、そのユーザが所有するドメインについて、親子関係の変更の内容の通知を受信する通知受信手段と、
受信した通知に従って、親子関係を変更する手段と、
前記格納手段に格納されている変更前の親ドメインに格納されているコンテンツを、変更後の親ドメインに移動する移動手段と、
を備えることを特徴とする請求項１乃至４のいずれか１項に記載のネットワークシステム。
【請求項６】
前記定義手段は、任意のユーザに、そのユーザが所有するドメインについて、ドメインのリストと定義されている親子関係を通知する通知手段をさらに備え、
前記通知受信手段は、前記通知手段による通知に応答したユーザからの定義変更情報を受信する手段を備える、
ことを特徴とする請求項５に記載のネットワークシステム。
【請求項７】
登録されている複数のドメインについて、親と子との関係を定義付け、
ブラウザ上で、ドメインを指定するドメイン情報とドメイン内のコンテンツを指定するコンテンツ指定情報とをネットワークを介して送信し、
送信されたドメイン情報とコンテンツ指定情報とを受信し、ドメイン情報が指定するドメインが子ドメインに指定されている場合に、指定されたドメインの親に該当するドメイン内の前記コンテンツ指定情報で指定されるコンテンツを読み出して情報の要求元にネットワークを介して送信し、
送信されたコンテンツを受信して、前記ブラウザ上に、ドメイン情報とコンテンツ指定情報とを維持したまま、受信したコンテンツを表示する、
ことを特徴とする複数ドメイン同時運用方法。
【請求項８】
ユーザに、そのユーザが所有するドメインのリストと定義されている親子関係を通知し、
通知に応答したユーザからの定義変更情報を入力して送信し、
受信した通知に従って、親子関係を変更し、変更前の親ドメインに対応付けられているコンテンツを、変更後の親ドメインに対応付ける、
ことを特徴とする請求項７に記載の複数ドメイン同時運用方法。
【請求項９】
コンピュータを、
複数のドメインについて、親ドメインと子ドメインとの関係を定義付ける定義手段、
前記定義手段により親ドメインに定義されたドメインについて、コンテンツを格納するコンテンツ格納手段、
ドメインを指定するドメイン情報とドメイン内のコンテンツを指定するコンテンツ指定情報とを受信する受信手段、
前記受信手段で受信したドメイン情報が指定するドメインが前記定義手段で子ドメインに指定されている場合に、指定されたドメインの親ドメイン内の前記コンテンツ指定情報で指定される情報を前記コンテンツ格納手段から読み出して情報の要求元に送信するコンテンツ送信手段、
として機能させるためのプログラム。
【発明の詳細な説明】
【０００１】
【発明の属する技術分野】
本発明は、複数のドメインを管理するシステムと方法に関する。
【０００２】
【従来の技術】
インターネット上で情報を発信するための方法として、ドメイン名を取得する方法がある。ドメイン名は一定の規格に基づいて発行され、同一人が複数のドメインを所有することもある。
【０００３】
【発明が解決しようとする課題】
しかし、複数のドメインを所有する場合には、ドメインの管理が煩雑であった。例えば、情報を複数のドメインで発信するためには、各ドメインに同一の情報を個別に登録（アップロード）する必要があった。
【０００４】
複数のドメインを効率良く運用するためのサービスとしてＵＲＬ（Uniform Resources Locator）転送サービスがある。従来のＵＲＬ転送サービスは、あるＵＲＬが指定された際に、予め設定されている他のＵＲＬにアクセスを転送するサービスである。
【０００５】
しかし、従来の転送サービスでは、閲覧者のブラウザ上で、閲覧者が指定したＵＲＬと異なる転送先のＵＲＬが表示されてしまい、閲覧者に違和感を与えてしまう。
【０００６】
本発明は、上述した事情に鑑みてなされたもので、複数のドメインの管理を容易にすることを目的とする。
また、本発明は、複数のドメインを有効に利用可能とすることを他の目的とする。
また、本発明は、閲覧者に違和感を与えることなく、アクセス先とは異なるドメインから情報を提供することにある。
【０００７】
【課題を解決するための手段】
上記目的を達成するため、本発明の第１の観点に係るネットワークシステムは、
複数のドメインについて、親ドメインと子ドメインとの関係を定義付ける定義手段と、
前記定義手段により親ドメインに定義されたドメインに、コンテンツを格納するコンテンツ格納手段と、
ドメインを指定するドメイン情報とドメイン内のコンテンツを指定するコンテンツ指定情報とを受信する受信手段と、
前記受信手段で受信したドメイン情報が指定するドメインが前記定義手段で子ドメインに指定されている場合に、指定されたドメインの親ドメインの前記コンテンツ指定情報で指定されるコンテンツを前記コンテンツ格納手段から読み出して情報の要求元に送信するコンテンツ送信手段と、
を備える。
【０００８】
この構成によれば、複数のドメインについて、親子関係を定義し、親ドメインにコンテンツを登録することにより、いずれのドメインにアクセスがあった場合でも、同一のコンテンツを提示できる。
【０００９】
前記コンテンツ送信手段は、例えば、前記コンテンツ格納手段から読み出したコンテンツと共に情報の要求元が指定したドメイン情報とコンテンツ指定情報とを、情報の要求元に送信する。
【００１０】
前記コンテンツ送信手段は、前記受信手段で受信したドメイン情報が指定するドメインが前記定義手段で親ドメインに指定されている場合に、指定されたドメインの内の前記コンテンツ指定情報で指定されるコンテンツを前記コンテンツ格納手段から読み出して情報の要求元に送信する送信手段を備えてもよい。
【００１１】
前記定義手段は、例えば、同一人に帰属する複数のドメインについて、親ドメインと子ドメインとの関係を定義付ける手段を備える。
【００１２】
前記定義手段は、例えば、ユーザから、そのユーザが所有するドメインについて、親子関係の変更の内容の通知を受信する通知受信手段と、受信した通知に従って、親子関係を変更する手段と、前記格納手段に格納されている変更前の親ドメインに格納されているコンテンツを、変更後の親ドメインに移動する移動手段と、を備えてもよい。
【００１３】
前記定義手段は、例えば、任意のユーザに、そのユーザが所有するドメインについて、ドメインのリストと定義されている親子関係を通知する通知手段をさらに備え、前記通知受信手段は、例えば、前記通知手段による通知に応答したユーザからの定義変更情報を受信する手段を備えてもよい。
【００１４】
上記目的を達成するため、本発明の第２の観点に係る複数ドメイン同時運用方法は、
登録されている複数のドメインについて、親と子との関係を定義付け、
ブラウザ上で、ドメインを指定するドメイン情報とドメイン内のコンテンツを指定するコンテンツ指定情報とをネットワークを介して送信し、
送信されたドメイン情報とコンテンツ指定情報とを受信し、ドメイン情報が指定するドメインが子ドメインに指定されている場合に、指定されたドメインの親に該当するドメイン内の前記コンテンツ指定情報で指定されるコンテンツを読み出して情報の要求元にネットワークを介して送信し、
送信されたコンテンツを受信して、前記ブラウザ上に、ドメイン情報とコンテンツ指定情報とを維持したまま、受信したコンテンツを表示する、
ことを特徴とする。
【００１５】
ユーザに、そのユーザが所有するドメインのリストと定義されている親子関係を通知し、通知に応答したユーザからの定義変更情報を入力して送信し、受信した通知に従って、親子関係を変更し、変更前の親ドメインに対応付けられているコンテンツを、変更後の親ドメインに対応付ける、ようにしてもよい。
【００１６】
コンピュータを、上述のネットワークシステムとして機能させ、或いは、コンピュータに上述の複数ドメイン同時運用方法を実行させるためのプログラムを記録媒体に記録して頒布したり、通信回線を介して送信して頒布してもよい。
【００１７】
【発明の実施の形態】
以下、本発明の実施の形態に係るネットワークシステムを図面を参照して説明する。
【００１８】
図１は、この実施の形態に係るネットワークシステムの構成を示す図である。
図示するように、このシステムは、ウエブサーバ１１と、ＤＳＮサーバ１３と、インターネットＩＮに、直接、或いは、社内ＬＡＮ、インターネットゲートウエイ、アクセスポイント等を介して接続されたユーザ端末２１（２１１〜２１ｎ）とから構成される。
【００１９】
ウエブサーバ１１は、ＵＲＬ（Universal Resource Locator）に対応付けてコンテンツを格納し、ユーザ端末２１からの要求に応じてコンテンツを供給するものであり、図２に示すように、制御装置１１１と格納装置１１３とから構成される。
【００２０】
制御装置１１１は、コンピュータ装置から構成され、インターネットＩＮを介して外部装置との間で通信を行う。また、外部装置からのＵＲＬで指定される情報を格納装置１１３から読み出して、要求元に提供する。
なお、制御装置１１１は、ＣＧＩ（Common Gateway Interface）を備え、格納装置１１３に格納された情報を読み出してウエブページを形成して提供する機能を有する。
【００２１】
格納装置１１３は、コンテンツとそのコンテンツを管理するための管理テーブルとを格納する。
【００２２】
管理テーブルは、図３に示すように、このウエブサーバ１１にドメインを有するユーザ別に、ユーザ名、ＩＤ、パスワード、ドメイン名を格納する。ユーザが複数のドメインを所有している場合には、図３に示すように、その親子関係（マスタ−スレーブ関係）が設定可能である。ここで、属性が「親」と「子」とは、属性が「子」のドメイン内のコンテンツがアクセスされた場合には、属性が「親」のドメインに格納されているコンテンツを、アクセス元に提供することを意味する。
【００２３】
図４に示すように、ＵＲＬ情報は、ドメイン名とコンテンツファイル情報とから構成されており、格納装置１１３は、図５に示すように、ドメイン名とコンテンツファイル情報とで特定できる形態でコンテンツを格納する。
【００２４】
ＤＮＳ（ドメインネームサーバ）１３は、ユーザ端末２１からＵＲＬ情報を受信し、そのＵＲＬ情報を、ドメインを有するウエブサーバ１１のＩＰ（インターネットプロトコル）アドレスに変換し、アクセスすべきサーバを指定するためのサーバである。
【００２５】
ユーザ端末２１は、ウエブブラウザを備える。図６に示すように、ウエブブラウザは、上段にアクセス対象又は表示中のホームページのＵＲＬ情報を入力・表示するためのＵＲＬ入力・表示欄２１１が配置され、その下にホームページ（コンテンツ）を表示するためのコンテンツ表示欄２１３が配置されている。
【００２６】
次に、上記構成のネットワークシステムの動作を図７のフロー図を参照して説明する。
ユーザ端末２１のウエブブラウザのＵＲＬ入力・表示欄２１１に任意のＵＲＬ情報を入力することにより、このウエブサーバ１１に格納されているコンテンツを指定すると、このＵＲＬ情報はユーザ端末２１のＩＰアドレスと共にＤＮＳ１３に通知される（ステップＳ１１）。ＤＮＳ１３は、指定されたコンテンツを格納しているウエブサーバ１１のＩＰアドレスを判別し、このＩＰアドレス宛に、ドメイン名及びコンテンツファイル情報、アクセス元のユーザ端末２１のＩＰアドレスを通知する（ステップＳ１２）。
【００２７】
ウエブサーバ１１の制御装置１１１は、ＤＮＳ１３からの通知を受信すると、送信されたＵＲＬ情報により指定されるドメインについて、親子関係が定義されているか否かを、格納装置１１３に格納されている管理テーブルから判別する。
そして、親子関係が定義されている場合には、親ドメインであるか、子ドメインであるかを判別する（ステップＳ１３）。
【００２８】
制御装置１１１は、親子関係が定義されていないと判断した場合、及び、親子関係が定義されており且つ指定されたドメインが親ドメインであると判別した場合には、指定されたドメインのコンテンツファイル情報で特定されるコンテンツ（ホームページ）を格納装置１１３から読み出す（ステップＳ１３）。ウエブサーバ１１は読み出したコンテンツをＵＲＬ情報と共に送信元ＩＰアドレスで特定されるユーザ端末２１に送信する（ステップＳ１４）。
【００２９】
ユーザ端末２１は、ウエブサーバ１１から供給されたコンテンツを受信し、ブラウザに表示する。表示されるコンテンツは、ブラウザが指定したＵＲＬ情報から読み出されたコンテンツであるので、ブラウザに表示されたＵＲＬ情報は元のまま（入力された状態のまま）である。
【００３０】
一方、ウエブサーバ１１の制御装置１１１は、ステップＳ１３で、ＵＲＬ情報により指定されるドメインについて親子関係が定義されており、かつ、指定されたドメインが子ドメインであると判別すると、ＵＲＬ情報のドメイン名を親ドメインのドメイン名に変換し（ステップＳ１５）、親ドメインのコンテンツのうちから、コンテンツファイル情報で特定されるコンテンツ（ホームページ）を格納装置１１３から選択して読み出す。ウエブサーバ１１は、読み出したコンテンツを、元のＵＲＬ情報と共に送信元ＩＰアドレスで特定されるユーザ端末２１に送信する（ステップＳ１４）。
【００３１】
ユーザ端末２１は、ウエブサーバ１１から供給されたＵＲＬ情報とコンテンツとを受信し、ブラウザのＵＲＬ入力・表示欄２１１とコンテンツ表示欄２１３に表示する。表示されるコンテンツは、ユーザが指定したドメインとは異なるドメインから読み出されたコンテンツであるが、ＵＲＬ情報自体はユーザ端末２１が指定したものが変換されずそのまま出力されて、ブラウザに通知されるため、ブラウザに表示されたＵＲＬ情報は元のまま（入力された状態のまま）である。
【００３２】
このような構成とすることにより、複数のドメインを取得している場合に、親となるドメインにコンテンツをアップすれば、他のドメインについてはコンテンツをアップしなくても、コンテンツを提示できる。
【００３３】
以上の動作を具体的に説明する。
図３に示すように、ユーザＡが、ドメイン名「松島.jp」、「matsushima.jp」、「matsushima-web.ne」、「onsen.com」の４つのドメイン名を所有し、ドメイン「松島.jp」を親ドメインとし、さらに、図５に示すように、「松島.jp/index.html」にトップページを、「松島.jp/profile」に自己のプロファイルを、「松島.jp/histry」に自己の経歴を、それぞれアップしている場合を想定する。
【００３４】
ユーザが、例えば、図８（ａ）に示すように、ブラウザのＵＲＬ入力・表示欄２１１に、「松島.jp/profile」と入力した場合には（ステップＳ１１）、図９に示すように、ＤＳＮ１３は、ウエブサーバ１１を指定する（ステップＳ１２）。ウエブサーバ１１はドメイン「松島.jp」が親ドメインであることを図３に示す管理テーブルから判別する（ステップＳ１３）。ウエブサーバ１１は、ドメイン「松島.jp」のコンテンツファイル情報で指定されるフォルダ「profile」に格納されているコンテンツを読み出して、元のＵＲＬ情報「松島.jp/profile」と共にユーザ端末２１に送信する（ステップＳ１４）。ユーザ端末２１のブラウザは、送信された内容を図８（ｂ）に示すように表示する。この際、ブラウザのＵＲＬ入力・表示欄２１は、元の通り、「松島.jp/profile」と表示されている。
【００３５】
一方、ユーザが、例えば、図１０（ａ）に示すように、ブラウザのＵＲＬ入力・表示欄２１１に、「matsushima.jp/profile」と入力した場合には、図１１に示すように、ウエブサーバ１１は、ドメイン「matsushima.jp」が親ドメイン「松島.jp」の子ドメインであることを判別する（ステップＳ１３）。ウエブサーバ１１は、ドメイン名「matsushima.jp」を「松島.jp」に変換し（ステップＳ１５）、そのフォルダ「profile」に格納されているコンテンツを読み出して、元のＵＲＬ情報「matsushima.jp/profile」と共にユーザ端末に送信する（ステップＳ１４）。ユーザ端末２１は、送信され内容を図１０（ｂ）に示すように表示する。この際、ドメイン「松島.jp」のコンテンツがブラウザのコンテンツ表示欄２１３に表示されているが、ＵＲＬ入力・表示欄２１１は、元の通り、「matsushima.jp/profile」と表示される。
【００３６】
以上説明したように、この実施の形態によれば、ウエブサーバ内の複数のドメインについて、親子関係を設定して、子ドメインが指定された場合に、親ドメインのコンテンツを読み出してアクセス元に提供する一方、ＵＲＬ情報自体は元のままに維持する構成・手段を配置している。従って、複数のドメインで共通の情報を提供することができる。従って、複数のドメインを取得している場合であっても、管理対象のドメインを１つに抑えることができ、ドメインの管理が容易になり、また、ドメインの有効利用が可能になる。また、ユーザにとっては、入力したＵＲＬ情報がヒットする確立が高くなる。また、ブラウザのＵＲＬ入力・表示欄２１１に表示されるＵＲＬ情報に変化が生じないため、ユーザに違和感を与えない。また、ユーザによる複雑な設定も必要ない。
【００３７】
このようなこのシステムは、例えば、ドメインの変更の際等にも有効であり、例えば、新たなドメイン（例えば、大容量）にコンテンツを登録して親ドメインとし、従前のドメインを子ドメインとすることにより、従来からの閲覧者にブックマークの変更などの不便を強いることなく、情報を継続的に提供できる。
また、プールされて活用されていないドメイン等を有効に活用でき、例えば、所有している全てのドメインを有効に活用できる。
その他、ドメインの利用方法が従来よりも拡張され、ユーザの自由で主体的な選択により、企画等の様々な場面に活用できる。
【００３８】
上記実施の形態のシステムにおいて、ユーザの都合により、親ドメインと子ドメインとを変更したい場合が生ずる。以下、親ドメインと子ドメインとの変更が可能なネットワークシステムについて説明する。
この実施の形態においては、図１２に示すようなメニューページがウエブサーバ１１の格納装置１１３に格納されている。
【００３９】
各ユーザはユーザ端末２１のブラウザ上で、一定の認証処理（ＩＤとパスワードとによる処理）を実行する。ウエブブラウザ１１は、正規ユーザであると判別すると、図１２に示すメニューページを提供する。
親ドメインと子ドメインの変更などの処理を行いたいユーザは、このページ上で、「親ドメインの変更」を選択する。この選択は、ウエブサーバ１１に通知される。
【００４０】
ウエブサーバ１１は、通知に従って、ＩＤで登録されるユーザが取得しているドメインと各ドメインが親であるか子であるかを示す属性を、格納装置１１３に格納されている図３に示す管理テーブルから求め、図１３に示すようなページを合成して、ユーザ端末２１に送信する。
【００４１】
ユーザ端末２１は、このページをブラウザ上に表示する。
ユーザは、このページ上で、「親」に設定したいドメインにチェックを付して「親ドメインに設定」をクリックする。これらの操作は、ウエブサーバ１１に通知される。
【００４２】
ウエブサーバ１１の制御装置１１１は、いずれかのチェックボックスにチェックが入って、「親ドメインに設定」が選択されている場合には、チェックされているドメインを「親」とし、他のドメインを「子」に再定義するため、管理テーブルを書き換える。
続いて、制御装置１１１は、従来のドメイン内のコンテンツを、新たな親ドメインのコンテンツに移動する（コンテンツを新親ドメインに複写し、旧親ドメインのコンテンツを削除する）。
【００４３】
例えば、図１４に示すように、「matsushima.jp」にチェックが付与された状態で、「親ドメインに設定」が選択されたいる場合には、図１５に示すように、チェックされているドメイン「matsushima.jp」を親とし、ドメイン「松島.jp」「matsushima-web.net」、「onsen.com」を子とする。
続いて、ウエブサーバ１１の制御装置１１１は、今まで、親ドメインであった、ドメイン「松島.jp」内のコンテンツを、新たに親ドメインに設定されたドメイン「matsushima.jp」に移動する。
【００４４】
このような構成とすることにより、ユーザは、親ドメインと子ドメインとを適宜切り換えて使用することができる。しかも、親ドメインを変更すると、元の親ドメインに格納されていたコンテンツが、自動的に新たな親ドメインに書き込まれるので、コンテンツを移動する作業が不要となり、変更作業が容易である。
【００４５】
以上説明したように、上記実施の形態によれば、複数のドメインを同格に使用することができ、複数のドメインを容易に管理することができ、複数のドメインを有効に利用可能とする。さらに、閲覧者に違和感を与えることなく、アクセス先とは異なるドメインから情報を提供することができる。さらに、ユーザによる複雑な設定も必要ない。
また、このシステムは、ドメインの変更の際に有効であり、例えば、新たなドメインにコンテンツを登録して親ドメインとし、従前のドメインを子ドメインとすることにより、従来からの閲覧者にブックマークの変更などの不便を強いることなく、情報を提供できる。
また、プールされて活用されていないドメイン等を有効に活用でき、例えば、所有している全てのドメインを有効に活用できる。
また、ドメインの利用手法が従来よりも拡張され、ユーザの自由で主体的な選択やにより、企画等の様々な場面に活用できる。
【００４６】
なお、この発明は上記実施の形態に限定されず、種々の変形及び応用が可能である。例えば、システム構成や画面構成は適宜変更可能である。また、実質的に同一の機能が実現できるならば、処理手順なども適宜変更可能である。
【００４７】
なお、この発明のウエブサーバは、専用のシステムによらず、通常のコンピュータシステムを用いて実現可能である。例えば、コンピュータに上述の動作を実行するためのプログラムを格納した媒体（ＣＤ−ＲＯＭ等）から該プログラムをインストールすることにより、上述の処理を実行するウエブサーバ１１等を構成することができる。なお、上述の機能を、ＯＳが分担又はＯＳとアプリケーションとの共同により実現する場合等には、ＯＳ以外の部分のみを媒体に格納してもよい。
【００４８】
なお、搬送波にプログラムを重畳し、通信ネットワークを介して配信することも可能である。例えば、通信ネットワークの掲示板（ＢＢＳ）に該プログラムを掲示し、これをネットワークを介して配信してもよい。
そして、このプログラムを起動し、ＯＳの制御下で、他のアプリケーションプログラムと同様に実行させることにより、上述の処理を実行することができる。
【００４９】
【発明の効果】
この発明によれば、複数のドメインを効率的に管理することができる。
【図面の簡単な説明】
【図１】本発明の実施形態に係るネットワークシステム（ドメイン管理システム）の構成を示す図である。
【図２】図１に示すウエブサーバの構成を示す図である。
【図３】図２の格納装置に格納される管理テーブルの構成例を示す図である。
【図４】ＵＲＬ情報の構成を示す図である。
【図５】ドメインに登録されているコンテンツの例を示す図である。
【図６】ウエブブラウザの画面例を示す図である。
【図７】ネットワークシステムの動作を説明するためのフロー図である。
【図８】（ａ）は、ブラウザのＵＲＬ入力・表示欄に閲覧したいコンテンツのＵＲＬ情報を入力した状態を示す図、（ｂ）は、コンテンツ取得後の表示を示す図である。
【図９】図８（ａ）に示すＵＲＬ情報の指定がなされた際のウエブサーバの動作を説明するための図である。
【図１０】（ａ）は、ブラウザのＵＲＬ入力・表示領域に閲覧したいコンテンツのＵＲＬ情報を入力した状態を示す図、（ｂ）は、コンテンツ取得後の表示を示す図である。
【図１１】図１０（ａ）に示すＵＲＬ情報の指定がなされた際のウエブサーバの動作を説明するための図である。
【図１２】管理メニューの一例を示す図である。
【図１３】ドメイン一覧画面の一例を示す図である。
【図１４】ドメイン一覧画面上で、親ドメインに設定するドメインを選択した状態を例示する図である。
【図１５】管理テーブルの変化を例示する図である。
【図１６】コンテンツを移動させる動作を説明する図である。
【符号の説明】
１１      ウエブサーバ
１３      ＤＮＳ
２１      ユーザ端末
【図１】
0004546666.tif 000002
【図２】
0004546666.tif 000003
【図３】
0004546666.tif 000004
【図４】
0004546666.tif 000005
【図５】
0004546666.tif 000006
【図６】
0004546666.tif 000007
【図７】
0004546666.tif 000008
【図８】
0004546666.tif 000009
【図９】
0004546666.tif 000010
【図１０】
0004546666.tif 000011
【図１１】
0004546666.tif 000012
【図１２】
0004546666.tif 000013
【図１３】
0004546666.tif 000014
【図１４】
0004546666.tif 000015
【図１５】
0004546666.tif 000016
【図１６】
0004546666.tif 000017